(57)【要約】【課題】発信者の肉声に近似した合成音声で着信通知を行うことができる通信端末を提供する。【解決手段】発信者の音声特徴を通話音声から抽出する音声特徴抽出部７と、メモリ１３に予め登録された所定の音素の基本波形データのうちから必要なデータを組み合せて音声メッセージを合成する音声合成部１２と、音声特徴抽出部７で抽出された音声特徴に基づいて、音声合成部１２で合成された音声メッセージを波形編集して、上記発信者の肉声に近似した着信通知用の音声メッセージを得る波形編集部１１と、その着信通知用の音声メッセージを出力する出力装置９とを有する。【選択図】　図１
2004080258.tif 000002
【特許請求の範囲】
【請求項１】
通話音声から発信者の音声特徴を抽出する音声特徴抽出手段と、
前記音声特徴抽出手段で抽出された音声特徴を有する合成音声で前記発信者からの着信を利用者に通知する着信通知手段とを有することを特徴とする通信端末。
【請求項２】
前記着信通知手段は、
前記音声特徴抽出手段で抽出された音声特徴に基づいて、前記発信者の肉声に近似した着信通知用の音声メッセージを生成する音声メッセージ生成手段と、
前記音声メッセージ生成手段で生成された着信通知用の音声メッセージを出力する出力手段とを有することを特徴とする請求項１に記載の通信端末。
【請求項３】
前記音声メッセージ生成手段は、
前記発信者からの着信に応じて、予め登録された所定の音素の基本波形データのうちから必要なデータを組み合せて所望の音声メッセージを合成する音声合成手段と、
前記音声特徴抽出手段で抽出された音声特徴に基づいて、前記音声合成手段で合成された音声メッセージを波形編集して前記着信通知用の音声メッセージを得る波形編集手段とを有することを特徴とする請求項２に記載の通信端末。
【請求項４】
前記着信通知手段は、
前記音声特徴抽出手段で抽出された音声特徴に基づいて、予め登録された所定の楽曲データの主要声部を、前記発信者の肉声に近似するように波形編集する波形編集手段と、
前記波形編集手段で波形編集された楽曲データを出力する出力手段とを有することを特徴とする請求項１に記載の通信端末。
【請求項５】
前記着信通知手段は、
前記音声特徴抽出手段で抽出された音声特徴に基づいて、予め登録された所定の着信メロディーの和音パターンを、前記発信者の肉声に近似するように波形編集する波形編集手段と、
前記波形編集手段で波形編集された着信メロディーを出力する出力手段とを有することを特徴とする請求項１に記載の通信端末。
【請求項６】
前記発信者からの着信は、通話要求の着信であることを特徴とする請求項１から５のいずれか１項に記載の通信端末。
【請求項７】
前記発信者からの着信は、電子メールの着信であることを特徴とする請求項１から５のいずれか１項に記載の通信端末。
【請求項８】
通話音声から発信者の音声特徴を抽出する第１のステップと、
前記第１のステップで抽出した音声特徴を有する合成音声で前記発信者からの着信を利用者に通知する第２のステップとを含むことを特徴とする着信通知方法。
【請求項９】
第２のステップは、
前記第１のステップで抽出された音声特徴に基づいて、前記発信者の肉声に近似した着信通知用の音声メッセージを生成するステップと、
前記着信通知用の音声メッセージを出力するステップを含むことを特徴とする請求項８に記載の音声通知方法。
【請求項１０】
前記着信通知用の音声メッセージを生成するステップは、
前記発信者からの着信に応じて、予め登録された所定の音素の基本波形データのうちから必要なデータを組み合せて所望の音声メッセージを合成するステップと、
前記第１のステップで抽出された音声特徴に基づいて、前記合成された音声メッセージを波形編集して前記着信通知用の音声メッセージを得るステップとを含むことを特徴とする請求項９に記載の着信通知方法。
【請求項１１】
第２のステップは、
前記第１のステップで抽出された音声特徴に基づいて、予め登録された所定の楽曲データの主要声部を、前記発信者の肉声に近似するように波形編集するステップと、
前記波形編集された楽曲データを出力するステップとを含むことを特徴とする請求項８に記載の音声通知方法。
【請求項１２】
第２のステップは、
前記第１のステップで抽出された音声特徴に基づいて、予め登録された所定の着信メロディーの和音パターンを、前記発信者の肉声に近似するように波形編集するステップと、
前記波形編集された着信メロディーを出力するステップとを含むことを特徴とする請求項８に記載の音声通知方法。
【請求項１３】
前記発信者からの着信は、通話要求の着信であることを特徴とする請求項８から１２のいずれか１項に記載の着信通知方法。
【請求項１４】
前記発信者からの着信は、電子メールの着信であることを特徴とする請求項８から１２のいずれか１項に記載の着信通知方法。
【請求項１５】
通話音声から発信者の音声特徴を抽出する第１の処理と、
前記第１の処理で抽出した音声特徴を有する合成音声で前記発信者からの着信を利用者に通知する第２の処理とをコンピュータに実行させるプログラム。
【請求項１６】
第２の処理は、
前記第１の処理で抽出された音声特徴に基づいて、前記発信者の肉声に近似した着信通知用の音声メッセージを生成する処理と、
前記着信通知用の音声メッセージを出力する処理を含むことを特徴とする請求項１５に記載のプログラム。
【請求項１７】
前記着信通知用の音声メッセージを生成する処理は、
前記発信者からの着信に応じて、予め登録された所定の音素の基本波形データのうちから必要なデータを組み合せて所望の音声メッセージを合成する処理と、
前記第１の処理で抽出された音声特徴に基づいて、前記合成された音声メッセージを波形編集して前記着信通知用の音声メッセージを得る処理とを含むことを特徴とする請求項１６に記載のプログラム。
【請求項１８】
第２の処理は、
前記第１の処理で抽出された音声特徴に基づいて、予め登録された所定の楽曲データの主要声部を、前記発信者の肉声に近似するように波形編集する処理と、
前記波形編集された楽曲データを出力する処理とを含むことを特徴とする請求項１５に記載のプログラム。
【請求項１９】
第２の処理は、
前記第１の処理で抽出された音声特徴に基づいて、予め登録された所定の着信メロディーの和音パターンを、前記発信者の肉声に近似するように波形編集する処理と、
前記波形編集された着信メロディーを出力する処理とを含むことを特徴とする請求項１５に記載のプログラム。
【請求項２０】
前記発信者からの着信は、通話要求の着信であることを特徴とする請求項１５から１９のいずれか１項に記載のプログラム。
【請求項２１】
前記発信者からの着信は、電子メールの着信であることを特徴とする請求項１５から１９のいずれか１項に記載のプログラム。
【請求項２２】
前記コンピュータはＣＰＵであることを特徴とする請求項１５から２１のいずれか１項に記載のプログラム。
【請求項２３】
前記コンピュータはデジタルシグナルプロセッサであることを特徴とする請求項１５から２１のいずれか１項に記載のプログラム。
【発明の詳細な説明】
【０００１】
【発明の属する技術分野】
本発明は、一般の加入電話、ＰＨＳ、携帯電話などの通信端末に関し、特には着信通知機能を備える通信端末に関する。さらに、本発明は、そのような通信端末において用いられる着信通知方法およびプログラムに関する。
【０００２】
【従来の技術】
従来、この種の通信端末には、電話や電子メールの着信時に、発信者がだれであるのかを着信者が応答する前に通知することのできる着信通知機能が備えられている。例えば、携帯電話機には、着信時に発信者側の電話番号を画面に表示する機能や、特定の発信者に対して特定の着信メロディーを予め設定しておき、着信時にその着信メロディーを流すことで発信者を特定する機能がある。
【０００３】
最近では、音声により着信通知を行うものも提案されている。一例として、図５に、特開平１１−３２１０５号公報に記載された携帯情報端末の概略構成を示す。
【０００４】
図５を参照すると、携帯情報端末は、不図示の基地局との間で電波を送受信するアンテナ１０２と、アンテナ１０２にて受信された電波を可聴周波数の電気信号に変換する無線処理部１０３と、受話器であるスピーカ１０５と、音声信号等をスピーカ１０５から出力させるための復調や増幅の処理を行う音声処理部１０４と、送話器であるマイクロフホン１０６と、電話帳メモリやプログラムが格納された記憶装置１０８と、液晶ディスプレイなどの表示装置１０９と、送受信や表示などの操作および発信者特定情報（発信者の番号や氏名）の登録を行うためのキー操作１１０、記憶装置１０８に格納されたプログラムに従って各部の動作を制御する制御装置１０８とを有する。
【０００５】
この携帯情報端末では、着信があると、受信信号が無線処理部１０３によって増幅・周波数変換されて制御装置１０７に供給される。制御装置１０７は、記憶装置１０８に格納されているプログラムに従って受信信号を処理し、受信信号が自己の呼出信号である場合は、所定のフォーマットの呼出信号を音声処理部１０４に出力する。音声処理部１０４は、入力された呼出信号を増幅してスピーカ１０５に供給する。スピーカ１０５は、供給された呼出信号に応じた呼出音を出力し、これにより使用者への着信通知が行われる。
【０００６】
呼出音として音声を使用することも可能である。この場合は、予め特定の発信者の氏名と電話番号およびその発信者氏名を発音するための音声抑揚（イントネーション）や音程の情報を関連付けて記録装置１０８に登録しておき、特定の発信者からの着信があった場合に、その記憶装置１０８に登録されている、音声抑揚（イントネーション）や音程の情報に基づく音声合成による呼出音をスピーカ１０５から出力させる。音声合成には、スピーチシンセサイザが用いられる。
【０００７】
また、呼出音として発信者の肉声を用いることも可能である。この場合は、発信者の肉声による”山田です”などの肉声データが圧縮されて記憶装置１０８に格納され、再生に際しては、その圧縮されて格納された肉声データを伸長してスピーカ１０５から出力する。
【０００８】
上記の他、特開平１１−１７７６７６号公報に記載された通信端末装置もある。この通信端末装置は、着信時に通知される発信者の電話番号と予め登録された電話番号とを照合し、一致した場合は、予め登録された発信者または着信者の肉声データにより着信通知を行い、一致しない場合は、鳴音または合成音声データにより着信通知を行うものである。
【０００９】
【発明が解決しようとする課題】
しかしながら、上述したような従来の通信端末には、それぞれ以下のような問題がある。
【００１０】
発信者側の電話番号を画面に表示するものにおいては、例えばカバンなどの中に携帯電話機をしまっている場合には、その都度、携帯電話機を取り出して画面を確認する必要があり、これは非常に煩わしい。
【００１１】
着信メロディーの種類を使い分けることにより発信者を特定できるようにしたものにおいては、上記のような煩わしさの問題は解決されるものの、登録対象者の数が多くなると、設定に手間がかかる他、どのメロディーが誰に対応しているのかを覚えるのが困難となる。
【００１２】
特開平１１−３２１０５号公報に記載の携帯情報端末においては、着信時に発信者特定情報（氏名や電話番号）を合成音声または肉声により通知するようになっているため、上述した画面確認や着信メロディーの設定の問題を解決することができる。しかし、この場合の合成音声による着信通知では、音声合成を行うための音声抑揚（イントネーション）や音程の情報の登録をキー操作で行っているため、非常に手間がかかる。また、肉声による着信通知の場合は、登録対象者の一人一人に対して肉声による発信者特定情報の登録を手動で行う必要があるため、非常に手間がかかる。
【００１３】
特開平１１−１７７６７６号公報に記載の通信端末装置においても、肉声または合成音声で着信通知を行うことができるため、上述した画面確認や着信メロディーの設定の問題を解決することができる。しかし、この場合の肉声による着信通知も、上記の携帯情報端末の場合と同様、登録対象者の一人一人に対して肉声による発信者特定情報の登録を手動で行う必要があるため、非常に手間がかかる。また、合成音声による着信通知の場合では、合成音声は音声抑揚（イントネーション）や音程について何も加工が施されないため、一定調子のものとなり、自然性に欠ける。
【００１４】
本発明の目的は、上記各問題を解決し、発信者の肉声に近似した合成音声により着信通知を行うことができる、通信端末および着信通知方法を提供することにある。
【００１５】
本発明の更なる目的は、そのような着信通知を実現することができるプログラムを提供することにある。
【００１６】
【課題を解決するための手段】
上記目的を達成するため、本発明の通信端末は、通話音声から発信者の音声特徴を抽出する音声特徴抽出手段と、前記音声特徴抽出手段で抽出された音声特徴を有する合成音声で前記発信者からの着信を利用者に通知する着信通知手段とを有することを特徴とする。
【００１７】
本発明の着信通知方法は、通話音声から発信者の音声特徴を抽出する第１のステップと、前記第１のステップで抽出した音声特徴を有する合成音声で前記発信者からの着信を利用者に通知する第２のステップとを含むことを特徴とする。
【００１８】
本発明のプログラムは、通話音声から発信者の音声特徴を抽出する第１の処理と、前記第１の処理で抽出した音声特徴を有する合成音声で前記発信者からの着信を利用者に通知する第２の処理とをコンピュータに実行させることを特徴とする。
【００１９】
上記のとおりの本発明においては、発信者の音声特徴を予め通話音声から抽出しておき、発信者から着信があると、その抽出した音声特徴を有する合成音声、すなわち発信者の肉声に近似した合成音声で着信通知がなされる。よって、利用者は、着信通知の音声から発信者が誰であるかを容易に認識することができ、従来のような画面確認および着信メロディーの設定の問題や合成音声の自然性の欠如の問題は生じない。また、本発明では、通話音声から直接、発信者の音声特徴を抽出しているので、従来のように音声抑揚（イントネーション）や音程の情報の登録を手動で入力する必要はない。
【００２０】
【発明の実施の形態】
次に、本発明の実施形態について図面を参照して説明する。
【００２１】
（実施形態１）
図１は、本発明の通信端末の第１の実施形態である携帯電話機の概略構成を示すブロック図である。この携帯電話機の主要部は、アンテナ１、無線部２、信号処理部３、送話器４、受話器５、制御部６、音声特徴抽出部７、メモリ８、出力装置９、音声メッセージ生成部１０からなる。
【００２２】
無線部２は、アンテナ１を介して外部の基地局（不図示）との送受信を行うもので、例えば高周波増幅器、受信ミキサ、ＩＦ増幅器、復調器からなる受信部と、送信電力増幅器、送信ミキサ、変調器からなる送信部とを備える。信号処理部３は、受信部から入力される受信信号に所定の信号処理を施して受話器５および音声特徴抽出部７へ供給する受信信号処理回路と、送話器４から入力される送信信号に所定の信号処理を施して送信部に供給する送信信号処理回路とからなる。送話器４はマイクロホンよりなり、受話器５はスピーカよりなる。
【００２３】
音声特徴抽出部７は、受信信号処理回路から供給される通話音声から発信者の音声特徴を抽出するものである。発信者の音声特徴の抽出では、例えば、発信者の通話音声の一部をサンプリング（デジタル化）して、その周波数成分や各周波数の比率が分析される。より具体的には、以下のような分析が行われる。
【００２４】
発信者の通話音声の一部（例えば音節）をＬとすると、Ｌは、音波の各周波数の和として、以下の式で表すことができる。
【００２５】
Ｌ＝Σａｎｆｎ
ここで、ａｎは係数、ｆｎは音波の周波数である。このとき、各周波数の比率ｒｍは、
ｒｍ＝ａｍ／Σａｎ
で与えられる。音声特徴抽出部７では、このような関係式に基づいて発信者の音声特徴が分析され抽出される。
【００２６】
メモリ８は、音声特徴抽出部７にて抽出された発信者の音声特徴を格納するものである。このメモリ８への発信者の音声特徴の格納は、制御部６により制御される。具体的には、制御部６は、発信者を特定できる情報、具体的には、着信時に供給される発信者の電話番号を信号処理部３から取得し、この取得した電話番号と音声特徴抽出部７にて抽出された音声特徴とを関連付けてメモリ８に格納させる。
【００２７】
音声メッセージ生成部１０は、制御部６からの制御指示にしたがって、特定の発信者からの着信に対して、該当する発信者の音声特徴をメモリ８から取得し、この取得した音声特徴に基づいて、その特定の発信者の肉声に近似した着信通知用の音声メッセージを生成するものである。その主要部は、波形編集部１１、音声合成部１２、メモリ１３，１４からなる。
【００２８】
メモリ１３には、所定の音素、すなわち音声メッセージを生成するための母音（アイウエオ）や各種子音の音声データ（以下、基本音声データと言う）が格納されている。メモリ１４は、例えば電話帳であって、少なくとも特定の者（友人、知人など、電話の着信または発信をする可能性のある人）の氏名および電話番号と、それぞれの氏名に対応する着信応答メッセージとが関連付けられて格納されている。着信応答メッセージには、任意に作成したメッセージを使用することができる。
【００２９】
音声合成部１２は、メモリ１４に格納された特定の者から着信があると、その着信のあった特定の者に対する着信応答メッセージをメモリ１４から取得し、この取得した着信応答メッセージに基づいてメモリ１３に格納されている基本音声データから必要な音声データ（母音および子音）を取得し、これを合成して基本音声メッセージを作成する。
【００３０】
波形編集部１１は、上記着信のあった特定の者の音声特徴をメモリ８から取得し、この取得した音声特徴に基づいて音声合成部１２にて生成された基本音声メッセージを波形編集し、上記着信のあった特定の者の肉声に近似した音声メッセージを作成する。この波形編集された音声メッセージは出力装置９に供給される。
【００３１】
出力装置９はスピーカよりなり、波形編集部１１から供給された音声メッセージに応じた音波を出力する。制御部６は、本携帯電話機の全体の動作を制御するものである。例えば、通話のための信号処理、上述した発信者の音声特徴の抽出動作、および音声メッセージの生成動作を含む着信通知動作などがこの制御部６によって制御される。
【００３２】
次に、本実施形態の携帯電話機の動作について具体的に説明する。以下の説明では、音声特徴抽出動作と着信通知動作を具体的に説明する。
【００３３】
＜音声特徴抽出動作＞
図２は、本実施形態の携帯電話機において行われる音声特徴抽出動作を説明するためのフローチャート図である。まず、発信者からの着信があると（ステップＳ１０）、発信者の電話番号が信号処理部３から制御部６へ供給され、制御部６が、その供給された発信者の電話番号に基づいてメモリ８内を検索し、発信者の音声特徴がメモリ８内に格納されているか否かを調べる（ステップＳ１１）。
【００３４】
上記ステップＳ１１にてメモリ８内に該当する音声特徴がなかった場合は、制御部６は、信号処理部３にて信号処理された受信信号を受話器５および音声特徴抽出部７へ入力させて通常の通話動作を行わせるとともに、音声特徴抽出部７に対して、発信者の音声特徴を通話音声から抽出する旨の指示を送出する。音声特徴抽出部７は、制御部６からの音声特徴抽出指示に従って、信号処理部３から入力される受信信号（通話音声）から発信者の音声特徴を分析し抽出する（ステップＳ１２）。発信者の音声特徴が抽出されると、制御部６は、その抽出された音声特徴を発信者の電話番号と関連付けた形でメモリ８に格納させ（ステップＳ１３）、処理を終了する。
【００３５】
上記ステップＳ１１にてメモリ８内に該当する音声特徴があった場合は、制御部６は、信号処理部３にて信号処理された受信信号を受話器５へ入力させるだけで、音声特徴抽出部７に対する音声特徴抽出指示は行わずに処理を終了する。
【００３６】
上述した音声特徴抽出動作により、発信者の音声特徴を通話音声から取得することができる。
【００３７】
なお、メモリ８には、一人分の音声特徴のデータとして、メモリ１３に格納されている基本音声データの全ての母音および子音に対応するデータを格納する必要がある。したがって、基本音声データの全ての母音および子音に対応する音声特徴のデータがメモリ８に格納されるまでは、ステップ１１で「Ｎｏ」の分岐が選択され、発信者の音声特徴の抽出が行われる。
【００３８】
＜着信通知動作＞
図３は、本実施形態の携帯電話機において行われる着信通知動作を説明するためのフローチャート図である。
【００３９】
まず、発信者からの着信があると（ステップＳ２０）、発信者の電話番号が信号処理部３から制御部６へ供給され、制御部６が、その供給された発信者の電話番号に基づいてメモリ８内を検索し、発信者の音声特徴がメモリ８内に格納されているか否かを調べる（ステップＳ２１）。
【００４０】
上記ステップＳ２１にてメモリ８内に該当する音声特徴があった場合は、制御部６は、音声合成部１２に対して、基本音声メッセージを作成する旨の指示を発信者の電話番号とともに送出する。音声合成部１２は、制御部６からの作成指示に従って、供給された発信者の電話番号に基づいてその発信者に対する着信応答メッセージをメモリ１４から取得し、さらに、この取得した着信応答メッセージに基づいてメモリ１３に格納されている基本音声データから必要な音声データを取得し、これを合成して基本音声メッセージを作成する（ステップＳ２２）。
【００４１】
基本音声メッセージが作成されると、続いて、制御部６は、波形編集部１１に対して、音声合成部１２にて生成された基本音声メッセージを波形編集する旨の指示を発信者の電話番号とともに送出する。波形編集部１１は、制御部６からの波形編集指示に従って、供給された発信者の電話番号に基づいてその発信者の音声特徴をメモリ８から取得し、この取得した音声特徴に基づいて音声合成部１２にて生成された基本音声メッセージを波形編集する（ステップＳ２３）。波形編集された音声メッセージは出力装置９に供給され、出力装置９から音声メッセージが音波として利用者に供給される（ステップＳ２４）。
【００４２】
上記ステップＳ２１にてメモリ８内に該当する音声特徴がなかった場合は、制御部６は通常着信通知を行う（ステップＳ２４）。この通常着信通知では、上述したステップＳ２２で音声合成部１２が生成した基本音声メッセージをそのまま出力装置９に供給し、音声による着信通知を行わせても良い。この場合は、波形編集はなされないので、出力装置９から出力される音声は、メモリ１３に格納されている基本音声データの音声特徴に基づく。また、メモリ１４に着信メロディーを予め登録しておき、これを読み出して出力装置９に供給するようにしてもよい。この場合は、利用者は、従来からよく知られた着信通知と同様に、出力装置９から着信メロディーが流れることで着信を認識することになる。
【００４３】
上述の着信通知動作によれば、音声特徴の抽出がなされた特定の発信者からの着信は、その発信者の肉声に近似した音声メッセージで通知されるので、利用者は、発信者が誰であるかを容易に認識することができる。
【００４４】
上述の図１に示した構成のうち、信号処理部３、制御部６、音声特徴抽出部７、波形編集部１１および音声合成部１２の部分は、基本的には、プログラムによって実現される。具体的には、不図示の記憶装置に各部の動作を実行するためのプログラムを格納し、ＣＰＵ（Ｃｅｎｔｒａｌ　Ｐｒｏｃｅｓｓｉｎｇ　Ｕｎｉｔ）またはＤＳＰ（Ｄｉｇｉｔａｌ　Ｓｉｇｎａｌ　Ｐｒｏｃｅｓｓｏｒ）がそのプログラムに従って処理を行うことで、それら各部の動作を実現する。
【００４５】
本実施形態の携帯電話機では、メモリ１３には、標準として日本語の母音および子音の音声データが格納されるが、これに加えて、外国語の母音や子音の音声データをオプションとして格納してもよい。これにより、外国語を含む音声メッセージを作成することが可能となる。
【００４６】
（実施形態２）
図４は、本発明の通信端末の第２の実施形態である携帯電話機の概略構成を示すブロック図である。この携帯電話機は、図１に示した構成において、音声メッセージ生成部１０に代えて楽曲データ編集部２０が設けられた以外は同じ構成のものである。図４中、同じ部分には同じ符号を付している。ここでは、同じ部分の詳細な説明は省略する。
【００４７】
楽曲データ編集部２０は、少なくとも１つの着信通知用の楽曲データが格納されたメモリ２２と、音声特徴抽出部７にて音声特徴が抽出された発信者から着信があると、その発信者の音声特徴をメモリ８から取得し、この取得した音声特徴に基づいてメモリ２２に格納された楽曲データを構成する主要声部データを発信者の肉声に近似するように波形編集する波形編集部２１とを備える。この波形編集部２１による波形編集も制御部６によって制御される。
【００４８】
本実施形態の携帯電話機では、図４に示した着信通知動作において、ステップ２２〜Ｓ２４の処理に代えて、波形編集部２１による楽曲データの波形編集の処理が行われる。この他の処理は、同じである。
【００４９】
楽曲データの波形編集の処理では、まず、制御部６が、波形編集集部２１に対して、メモリ２２に格納された楽曲データを波形編集する旨の指示を発信者の電話番号とともに送出する。波形編集集部２１は、制御部６からの波形編集指示に従って、供給された発信者の電話番号に基づいてその発信者の音声特徴をメモリ８から取得し、この取得した音声特徴に基づいてメモリ８に格納された楽曲データを波形編集する。波形編集された楽曲データは出力装置９に供給され、出力装置９から楽曲データが音波として利用者に供給される。
【００５０】
上記の着信通知動作では、音声特徴の抽出がなされた特定の発信者から着信があった場合は、その発信者の肉声に近似した音声で主要声部が形成された楽曲データが流れる。よって、利用者は、発信者が誰であるかを音声から容易に認識することができる。加えて、この場合は、利用者の気に入る楽曲データで着信通知を楽しむことができる。
【００５１】
本実施形態の携帯電話機において、複数の楽曲データをそれぞれ異なる発信者の電話番号と関連付けてメモリ８に格納し、波形編集集部２１が制御部から供給された発信者の電話番号に基づいてメモリ８から対応する楽曲データを読み出してこれを波形編集するようにしてもよい。この場合、１つの楽曲データに対して複数の発信者が対応するようにしてもよい。
【００５２】
また、本実施形態の携帯電話機では、楽曲データの主要声部を発信者の音声特徴に基づいて波形編集しているが、メモリ２２に少なくとも１つの着信メロディーのデータを格納しておき、波形編集部２１が、その着信メロディーの和音パターンを発信者の音声特徴に基づいて波形編集するようにしてもよい。この場合は、発信者の肉声に近似した音声の着信メロディーが流れることになり、利用者は、発信者が誰であるかをその音声から容易に認識することができる。加えて、この場合は、利用者の気に入る着信メロディーで着信通知を楽しむことができる。
【００５３】
上述の図４に示した構成のうち、信号処理部３、制御部６、音声特徴抽出部７および波形編集部２１の部分は、基本的には、プログラムによって実現される。具体的には、不図示の記憶装置に各部の動作を実行するためのプログラムを格納し、ＣＰＵまたはＤＳＰがそのプログラムに従って処理を行うことで、それら各部の動作を実現する。
【００５４】
（実施形態３）
上述した第１および第２の実施形態の携帯電話機において、電子メールの送受信が可能なメール機能（メーラなど）を備えた構成とし、メール着信時に、上述した発信者の肉声に近似した音声による着信通知を行うことも可能である。ここでは、図１に示した構成を例に簡単に説明する。
【００５５】
メモリ８には、音声特徴抽出部７にて抽出された音声特徴が発信者のメールアドレスと関連付けられて格納され、メモリ１４には、特定の者（友人、知人など、電話の着信または発信をする可能性のある人）の氏名およびメールアドレスと、それぞれの氏名に対応する着信応答メッセージとが関連付けられて格納されている。
【００５６】
音声特徴が抽出された発信者からのメール着信があると、発信者のメールアドレスがメール機能（不図示）から制御部６へ供給され、制御部６が、その供給された発信者のメールアドレスに基づいてメモリ８内を検索し、発信者の音声特徴がメモリ８内に格納されているか否かを調べる。
【００５７】
メモリ８内に該当する音声特徴があった場合は、音声合成部１２が、制御部６から供給された発信者のメールアドレスに基づいてその発信者に対する着信応答メッセージをメモリ１４から取得し、さらに、この取得した着信応答メッセージに基づいてメモリ１３に格納されている基本音声データから必要な音声データを取得し、これを合成して基本音声メッセージを作成する。
【００５８】
基本音声メッセージが作成されると、続いて、波形編集部１１が、制御部６から供給された発信者のメールアドレスに基づいてその発信者の音声特徴をメモリ８から取得し、この取得した音声特徴に基づいて音声合成部１２にて生成された基本音声メッセージを波形編集する。波形編集された音声メッセージは出力装置９に供給され、出力装置９から音声メッセージが音波として利用者に供給される。
【００５９】
一方、メモリ８内に該当する音声特徴があった場合は、通常のブザー音などによる着信通知が行われる。
【００６０】
本実施形態における着信通知動作においても、音声特徴の抽出がなされた特定の発信者からメール着信があった場合は、その発信者の肉声に近似した音声での着信メッセージが流れるので、利用者は、発信者が誰であるかを音声から容易に認識することができる。
【００６１】
上述した第１〜第３の実施形態の携帯電話機において、着信通知を発信者の音声特徴に基づく合成音声により行うか、通常のブザー音や着信メロディーで行うかは、例えば表示画面上で設定することができる。基本的には、発信者の音声特徴に基づく合成音声による着信通知を優先設定することで、上述したような着信通知動作が行われる。
【００６２】
また、通話時に発信者の音声（しゃべった言葉）を登録しておき、この登録した音声を合成して所定の音声メッセージを作成する機能を設けて、この機能と上述した発信者の音声特徴に基づく合成音声とを併用して着信通知を行うようにしてもよい。
【００６３】
以上説明した各実施形態の携帯電話機は、本発明の一例であって、本発明はこれに限定されるものではなく、通話機能を有し、かつ、着信時に発信者を特定することができるのであれば、どのような通信端末にも適用することができる。例えば、発信者の電話番号を通知するサービスを利用する固定電話やＰＨＳにも本発明を適用することが可能である。
【００６４】
【発明の効果】
以上説明したように、本発明によれば、発信者の音声特徴を通話音声から自動的に抽出し、この音声特徴を利用して発信者の肉声に近似した合成音声で着信通知がなされるので、利用者は、画面を見ることなく、また、着信メロディーと発信者との対応関係を考慮することなく、発信者が誰であるのかの認識を簡単、かつ、容易に行うことができる。
【図面の簡単な説明】
【図１】本発明の通信端末の第１の実施形態である携帯電話機の概略構成を示すブロック図である。
【図２】図１に示す携帯電話機において行われる音声特徴抽出動作を説明するためのフローチャート図である。
【図３】図１に示す携帯電話機において行われる着信通知動作を説明するためのフローチャート図である。
【図４】本発明の通信端末の第２の実施形態である携帯電話機の概略構成を示すブロック図である。
【図５】特開平１１−３２１０５号公報に記載の携帯情報端末の概略構成を示すブロック図である。
【符号の説明】
１、１０２　アンテナ
２　無線部
３　信号処理部
４　送話器
５　受話器
６　制御部
７　音声抽出部
８、１３、１４、２２　メモリ
９　出力装置
１０　音声メッセージ生成部
１１、２１　波形編集部
１２　音声合成部
２０　楽曲データ編集部
１０３　無線処理部
１０４　音声処理部
１０５　スピーカ
１０６　マイクロホン
１０７制御装置
１０８　記憶装置
１０９　表示装置
１１０　キー操作部
【図１】
2004080258.tif 000003
【図２】
2004080258.tif 000004
【図３】
2004080258.tif 000005
【図４】
2004080258.tif 000006
【図５】
2004080258.tif 000007